(57)【要約】【課題】顎骨に形成するインプラント用の人工歯根（フィックスチャー）の埋設穴の深さを定まられた深さに正確に掘削するインプラント穴形成用ドリルを提供することである。【解決手段】端側にドリル刃３ａを有するドリル軸部３が設けられ、かつ回転駆動工具に取り付けるための工具取付け軸４が末端側に設けたられたドリル軸本体２と、該ドリル軸本体２の軸線方向の中間部に設けられたストッパー取付け部５と、該ストッパー取付け部５の軸線回りに回転自在に取付けられた筒状ストッパー部材７とを備え、ストッパー取付け部５は筒状ストッパー部材７を目的の埋設用の人工歯根の深さを形成する位置で保持する構成としたインプラント穴形成用ドリルである。【選択図】図１
0003176616.tif 000002
【実用新案登録請求の範囲】
【請求項１】
先端側にドリル刃を有するドリル軸部と末端側に回転駆動工具に取付けられる取付け軸部が設けられたドリル軸本体と、該ドリル軸本体の軸線方向の中間部に設けたストッパー取付け部と、該ストッパー取付け部の軸線回りに回転自在に取付けられた筒状ストッパー部材とを備え、前記ストッパー取付け部は上記筒状ストッパー部材を設定掘削穴の深さを形成する位置で保持していることを特徴とするインプラント穴形成用ドリル。
【請求項２】
前記ストッパー取付け部は、前記ドリル軸部より大きい直径の円柱状のストッパーフランジと上記ドリル軸部の小径軸とから形成し、該ストッパーフランジの外周壁にネジを刻設すると共に、該ストッパーフランジの先端面をストッパー基準面としたことを特徴とする請求項１記載のインプラント穴形成用ドリル。
【請求項３】
前記筒状ストッパー部材は、軸心に前記ドリル軸部を貫通する挿通孔を穿設し、該挿通孔の末端開口から顎骨と当接する先端面に向かって前記ネジと螺合する筒状ネジを設け、該筒状ネジの先端面側に前記ストッパーフランジを回転自在に保持すると共に、前記ドリル軸部本体の前進を停止するストッパー接触基準面を設けた筒状空隙部を形成し、かつ前記筒状ストッパー部材の先端面から前記ストッパー取付け部のストッパー基準面までの長さをインプラント穴の掘削深さに設定したことを特徴とする請求項１、または２に記載のいずれか１項に記載のインプラント穴形成用ドリル。
【考案の詳細な説明】
【技術分野】
【０００１】        本考案は、歯科医療においてインプラントを埋設させるインプラント穴（埋設穴）を形成するためのインプラント穴形成用ドリルに関するものである。
【背景技術】
【０００２】        歯を失ったとき、インプラントである人工歯根を顎骨に埋め込み、この人工歯根に義歯を装着して、咀嚼や審美性の回復を図るインプラント治療が知られている。この人工歯根としては、フィックスチャーと呼ばれるチタン製のスクリュータイプやコーンタイプのものが用いられている。このフィックスチャーを埋設するためのインプラント穴の形成は、一般的にドリルやオステオトームを使用して行われている。（例えば、特許文献１参照）【０００３】        また、出願人が先に出願したインプラント穴形成用ドリルは、フィックスチャーを埋設するためのインプラント穴（フィックスチャー埋設穴）の深さを一定にするため独立したストッパー部材を設け、インプラント穴の深さを一定に掘削するインプラント穴形成用ドリルが提案されている。（例えば、特許文献２参照）
【先行技術文献】
【０００４】
【特許文献１】特開２０７０−３１３２８５号公報
【特許文献２】特願２０１０−０７５７３２号
【考案の概要】
【考案が解決しようとする課題】
【０００５】        しかしながら、特許文献１に示すドリルを用いる方法では、フィックスチャーを埋設するためのフィックスチャー埋設穴の深さを正確に形成することが難しく、場合によっては必要以上の深さに形成してしまう危険性があった。【０００６】        また、特許文献２では、ストッパー部材と支持フランジの噛み合わせでドリルの深さがほぼ一定に設定されるが、噛み合わせ部構造の傾斜面での嵌合に弾力性を利用しているため深さを正確に設定できず深さの誤差（ズレ）が生じ確実性に欠け、かつ信頼性にも不安が生じる。また、ストッパー部材の着脱に個人差が生じ深さの設定に誤差が生じる危険性等の困難性があった。【０００７】        そこで、本考案は顎骨に形成するインプラント穴（フィックスチャー埋設穴）の所定の深さを正確に、かつ個人差なく確実、簡単に形成でき、しかもストッパー部材の着脱が簡単な構造としたインプラント穴形成用ドリルを提供することを目的としたものである。
【課題を解決するための手段】
【０００８】        本考案は、このような欠点を除去し、上記目的を達成するため、この考案に係るインプラント穴形成用ドリルは、先端側にドリル刃を有するドリル軸部と、末端側に回転駆動工具に取付けるための工具取付け軸部が設けられたドリル軸本体と、前記ドリル軸本体の軸線方向の中間部に設けられ、かつ該中間部のストッパーフランジの外周壁面にネジを形成したストッパー取付け部と、上記ストッパー取付け部の上記ネジと螺合し、通過後に軸線回りに回転自在に取付けられた筒状ストッパー部材とを備え、前記ストッパー取付け部と筒状ストッパー部材の組み合わせで筒状ストッパー部材をフィックスチャーの正確な深さに掘削する位置で保持するようにしたことを特徴とするインプラント穴形成用ドリルである。
【考案の効果】
【０００９】        本考案に係るインプラント穴形成用ドリルによれば、ドリル軸本体を回転させて顎骨にインプラント埋設用の埋設穴を形成する際に、筒状ストッパー部材が顎骨に当接してドリル軸本体の軸方向への進みが停止れるので、ドリル軸部のストッパーフランジのストッパー基準面から筒状ストッパー部材の先端のストッパー接触基準面までの寸法を設定しておくことで、掘削穴を確実に、かつ正確な深さの寸法に形成できる。また、顎骨に埋設穴を形成する際は、筒状ストッパー部材が顎骨に当接した状態でドリル軸本体を回転させても筒状ストッパー部材がストッパー取付け部のネジと螺合していない構造のため顎骨に対して回転せず、筒状ストッパー部材が顎骨に傷を付けることもなく、かつ苦痛を与えることもない特徴がある。【００１０】        さらに、筒状ストッパー部材には末端開口部の円筒内壁に駆動時に筒状ストッパー部材が前記ドリル軸本体から離脱するのを防止し、かつ前記ストッパー取付け部のネジと螺合する筒状ネジを形成したため、着脱が極めて簡単で、短時間で間違いなく着脱できる特徴がある。
【図面の簡単な説明】
【００１１】
【図１】本考案に係るインプラント穴形成用ドリルの一実施例を拡大して示す説明用の縦断面図である。
【図２】図１におけるインプラント穴形成用ドリルの要部であるストッパー取付け部の拡大説明図である。
【図３】図１におけるインプラント穴形成用ドリルの要部である筒状ストッパー部材の拡大説明図である。
【図４】本考案に係るインプラント穴形成用ドリルの要部である筒状筒状ストッパー部材のその他に実施例を拡大して示す説明図である。
【考案を実施するための形態】
【００１２】        以下に、本考案に係るインプラント穴形成用ドリルの一実施例について詳細に説明する。図１は本考案に係るインプラント穴形成用ドリルの全体構成を概略的に示し、１はインプラント穴形成用ドリルであり、ドリル軸本体２と筒状ストッパー部材７とから構成したものである。
【００１３】        さらに詳しく説明すれば、図１，及び図２，３に示すようにドリル軸本体２はドリル軸部３とその先端側に設けたドリル刃３ａと、末端側に設けた図示しない回転駆動工具に着脱自在に装着される工具取付け軸部４とを備えたものである。なお、工具取付け軸部４の端部には、エア式または電動式の回転駆動工具、例えばモーター等に装着固定するチャック部４ａが設けられている。
【００１４】        また、図１，及び拡大して図２に示すように、ドリル軸本体２の縦軸方向の中間部にはストッパー取付け部５を設ける。このストッパー取付け部５はドリル軸部３と工具取付け軸部４間に位置する小径軸部１ａと、この小径軸部１ａの縦軸方向中間部に円板状のストッパーフランジ６を一体に設けたものであり、その外周壁面にはネジ６ａ（ここでは雄ネジ）を刻設し、ドリル刃３ａ側の面、即ち先端面をストッパー基準面６ｂとして機能させる。また、ネジ６ａは下記する筒状ストッパー部材７の雌ねじと着脱自在に螺合するものである。
【００１５】        前記筒状ストッパー部材７は図１及び拡大して図３に示すようにドリル軸本体２を挿入する挿通孔８と、その挿通孔８の内径より大きい直径とし末端部分に前記ストッパー取付け部５のネジ６ａと螺合するように設けた筒状ネジ８ａと、該筒状ネジ８ａの先端面側にストッパーフランジ６より大きな直径で、かつ筒状ネジ８ａより大きい直径とし、しかもドリル軸部３の設定した掘削深さで筒状ストッパー部材７をフリー状態で保持する目的のストッパーフリー用の筒状空隙８ｂとから形成したものである。この筒状空隙８ｂの先端面側をストッパー接触基準面８ｃとしてドリル軸本体２がストッパーフランジ６のストッパー基準面６ｂと接触して図示しない顎骨にドリル軸本体２が前進、所謂、顎骨を掘削しないようにこの位置で空回転するものである。なお、この際、筒状ストッパー部材７の先端面７ａは図示しない顎骨と接触しているものである。
【００１６】        さらに詳しく説明すれば、本考案に係るインプラント穴形成用ドリル１は、筒状ストッパー部材７の先端面７ａが顎骨に当たり、かつ筒状ストッパー部材７の筒状空隙８ｂのストッパー接触基準面８ｃと前記したストッパーフランジ６のストッパー基準面６ｂとが接触する状態まで回転して顎骨を掘削し、接触後は、前記インプラント穴形成用ドリル１が回転しても顎骨を掘削することがない構造としたものである。
【００１７】        ここで、本考案に係るインプラント穴形成用ドリル１の一実施例、例えば、ドリル軸部３の直径をＤ、長さをＬと仮定した際の主要な寸法関係を簡単に説明すると、図１から図３においては、ドリル軸部３の直径Ｄを例えば２，８ｍｍφとすれば、Ｄ＜Ｄ１，Ｄ１＜Ｄ２、Ｄ２＞Ｄ３、Ｄ≦Ｄ３の関係とし、ドリル軸部３の長さＬは、例えば、１５ｍｍ位とした場合である。なお、ストッパーフランジ６の長さ（厚さ）ｔは１ｍｍ位、小径軸部１ａの長さは１，５ｍｍ位としたものである。
【００１８】        また、筒状ストッパー部材７の一例としては、上記したドリル軸部３と顎骨に掘る掘削穴の深さ関係から例えば、筒状ネジ８ａの長さは１ｍｍ、ストッパーフリー用の筒状空隙部８ｂの長さ（幅Ｃ）はｔ＜Ｃ、掘削深さＡ＝Ｌ−Ｂとし、筒状ストッパー部材７の全長を１１ｍｍ位とし、また筒状ストッパー部材７の直径は５ｍｍφ、挿通孔８の直径が２，８ｍｍφ、の関係に形成したものである。なお、ドリル軸部３の直径Ｄと筒状ストッパー部材７の挿通孔８の直径Ｄ３とがほぼ同じ寸法位とするが、ドリル軸部３が回転できる隙間がある加工精度にしてある。なお、ドリル１の直径、長さＬ、及び筒状ストッパー部材７の長さＢ、挿通孔８の直径Ｄ３は、顎骨を掘る掘削穴の深さ等の目的応じて種々形成してある。勿論、筒状ストッパー部材７の全長は、目的に応じて設定するものである。
【００１９】        次ぎに本考案に係るインプラント穴形成用ドリル１の使用する際の手順につき図面を用いて詳細に説明する。まず、図示しないが顎骨に目的深さ、直径のインプラント植設用穴を掘削すると仮定する。そこでドリル軸本体２の工具取付け軸部４のチャック部４ａを図示しない回転駆動工具に装着する。次ぎにインプラント穴形成用ドリル１のドリル軸部３のドリル刃３ａの方向から筒状ストッパー部材７の末端開口部７ｂ、筒状ネジ８ａ、筒状空隙部８ｂ、挿通孔８の順に差し込み、上記筒状ネジ８ａがストッパーフランジ６のネジ６ｂと螺合し、その後、筒状ネジ部８ａを通過させ、筒状ストッパー部材７が筒状空隙部８ｂの空隙間でフリーの状態となるように保持する。
【００２０】        そこで、本考案に係るインプラント穴形成用ドリル１を回転駆動工具で回転して顎骨に上記のようなドリル軸部３のドリル刃３ａで掘削穴を掘削し始める。そして目的の深さ、例えば図１に於ける深さＡまで掘削すると、即ち、目的の深さＡ＝Ｌ−Ｂの位置で筒状ストッパー部材７の先端である先端面７ａが顎骨と接触し、筒状ストッパー部材７の回転が停止し、顎骨に損傷を与えることもなく、患者に苦痛も与えるようなこともない。勿論、ドリル軸部３は前進せず、ドリル軸部３が空転し、顎骨の掘削もストップする。即ち、ストッパーフランジ６のストッパー基準面６ｂと筒状ストッパー部材７のストッパー接触基準面８ｃとが接触した状態となることである。
【００２１】        以上説明したのは本考案に係るインプラント穴形成用ドリル１の最良の形態であり、図４に示すように筒状ストッパー部材７の先端から末端に向かって直径に違いを設けたような形状に形成し、直径や長さの違いを識別しやすくすることもできる。勿論、挿通孔８、筒状ネジ部８ａ、筒状空隙部８ｂは前記と同じ寸法関係である。
【符号の説明】
【００２２】１  インプラント穴形成用ドリル
２  ドリル軸本体
３  ドリル軸部
４  工具取付け軸部
５  ストッパー取付け部
６  ストッパーフランジ
７  筒状ストッパー部材
８  挿通孔
８ｂ  筒状空隙部
【図１】
0003176616.tif 000003
【図２】
0003176616.tif 000004
【図３】
0003176616.tif 000005
【図４】
0003176616.tif 000006